(57)【要約】【課題】従来必要であった、拍車と排出ローラ、または、プラテンと排出受けを動作させる機構を必要としない、安価なインクジェット記録装置を提供すること。【解決手段】記録を行う記録ヘッドに向けて記録シートを搬送する搬送ローラ及びピンチローラが、記録がなされた記録シートを排出する機能も兼ねた記録装置であって、記録シートへの記録を終えた時点で、搬送ローラとピンチローラのニップ部から記録シート後端までの長さｃが、記録シートの排出が可能な搬送速度に達するまでの記録シートの排出可能搬送長さＸ０よりも小さい場合には、記録シートを排出可能搬送長さＸ０と後端長さｃとの差分である逆転長さｄ＝Ｘ０−ｃだけ逆転搬送した後に正転排出し、前記後端長さｃが前記排出可能搬送長さＸ０よりも大きい場合には、逆転搬送せずに正転排出することを特徴とする。【選択図】    図５
2004174783.tif 000002
【特許請求の範囲】
【請求項１】
記録シートを搬送する搬送手段と、搬送手段によって搬送されてきた記録シートに記録を行う記録手段と、記録手段の対向位置において記録シートを支持する支持手段と、を有し、前記搬送手段が、記録がなされた記録シートを排出する機能も兼ねた記録装置であって、
記録シートの搬送方向における、記録手段の記録領域下端から搬送手段までの長さをｂ、搬送手段から記録シート後端までの長さをｃ、記録シートの排出が可能な搬送速度に達するまでの記録シートの排出可能搬送長さをＸ０とした場合、
記録シートへの記録を終えた時点で、前記後端長さｃが前記排出可能搬送長さＸ０よりも小さい場合には、記録シートを排出可能搬送長さＸ０と後端長さｃとの差分である逆転長さｄ＝Ｘ０−ｃだけ逆転搬送した後に正転排出し、前記後端長さｃが前記排出可能搬送長さＸ０よりも大きい場合には、逆転搬送せずに正転排出することを特徴とする記録装置。
【発明の詳細な説明】
【０００１】
【発明の属する技術分野】
本発明は、搬送手段によって搬送されてきた記録シートに記録を行う記録装置に関するものである。
【０００２】
【従来の技術】
従来、インクジェット記録は、安価でカラー化が容易で高密度記録が可能なため、種々の形態のインクジェット記録装置が提案されている。こうした中で、記録後の記録シートの搬送形態として、記録シートの記録面側に拍車（記録シートとの接触面積が小さく、記録後の記録面側に接触しても該記録シートの記録像を乱すことがないように構成したもの）を配置したものと、例えば、特開平９−１３１８８４号公報、特開平９−１３１９３９号公報などに記載されている形態で、拍車を配置せずにプラテンと排出受けを動作させるものとがある。
【０００３】
【特許文献１】
特開平９−１３１８８４号公報
【特許文献２】
特開平９−１３１９３９号公報
【０００４】
【発明が解決しようとする課題】
しかしながら、上記従来例では、記録が終了し、記録シートを排出するのに、拍車と排出ローラが必要であり、または、プラテンと排出受けを動作させる機構が必要であり、コストがかかっていた。
【０００５】
そこで、本発明は上記課題に鑑みてなされたものであり、その目的は、拍車と排出ローラ、または、プラテンと排出受けを動作させる機構を必要としない、安価なインクジェット記録装置を提供することである。
【０００６】
【課題を解決するための手段】
上記目的を達成するための本発明の代表的な構成は、記録シートを搬送する搬送手段と、搬送手段によって搬送されてきた記録シートに記録を行う記録手段と、記録手段の対向位置において記録シートを支持する支持手段と、を有し、前記搬送手段が、記録がなされた記録シートを排出する機能も兼ねた記録装置であって、記録シートの搬送方向における、記録手段の記録領域下端から搬送手段までの長さをｂ、搬送手段から記録シート後端までの長さをｃ、記録シートの排出が可能な搬送速度に達するまでの記録シートの排出可能搬送長さをＸ０とした場合、記録シートへの記録を終えた時点で、前記後端長さｃが前記排出可能搬送長さＸ０よりも小さい場合には、記録シートを排出可能搬送長さＸ０と後端長さｃとの差分である逆転長さｄ＝Ｘ０−ｃだけ逆転搬送した後に正転排出し、前記後端長さｃが前記排出可能搬送長さＸ０よりも大きい場合には、逆転搬送せずに正転排出することを特徴とする。
【０００７】
上記構成によれば、拍車と排出ローラ、または、プラテンと排出受けを動作させる機構を必要とせず、安価な記録装置となる。
【０００８】
【発明の実施の形態】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【０００９】
〔第１実施形態〕
以下、本発明の一実施形態について図面を参照し説明する。図１は本発明の第１実施形態に係るインクジェット記録装置の断面図、図２はブロック図、図８は処理フロー図である。
【００１０】
図１において、１は記録シートの積載方向が水平面に対して傾斜している給送部で、２は給送ローラ、３はシートガイド、４はシート端検出部である。５は搬送ローラ、６はピンチローラであり、記録シートを搬送する搬送手段を構成しており、更に記録がなされた記録シートを排出する機能も兼ねている。７は記録手段としてのインクジェット記録ヘッド、８は支持手段としてのプラテンである。
【００１１】
記録手段は搬送手段で搬送された記録シートにインク像を記録するものである。この装置における記録手段としては、記録ヘッドからインクを吐出して記録するインクジェット記録方式を用いている。
【００１２】
その中でも熱エネルギーによって液体を吐出させるインクジェット記録方法に用いられる記録ヘッドは、記録用の液滴を吐出して吐出用液滴を形成するための液体吐出口（ノズル）を高密度に配列することができるために高解像度の記録をすることが可能である。その中でも電気熱変換体の発する熱エネルギーによってインクを吐出する記録ヘッドは、コンパクト化も容易であり、高密度実装化が容易で、製造コストも安価なことから有利である。
【００１３】
給送部１に積載された記録シートの記録について説明する。パーソナルコンピュータ等のホストから記録指示を受けたインクジェット記録装置は、給送部１より積載された記録シートを給送ローラ２で搬送し、記録シートの先端部がシートガイド３によってガイドされて、シート端検出部４で記録シートの先端部を検出し、記録シートの先端部が搬送ローラ５とピンチローラ６にニップされ、ホストより転送された記録データに基づき所定量を搬送ローラ５とピンチローラ６とで搬送する。シート端検出部４は、記録シートの端部を検出するもので、透過型フォトセンサに回動するレバーから構成されているものや反射型フォトセンサーなどから構成されている。プラテン８とインクジェット記録ヘッド７は、ほぼ平行に配置され、かつ水平方向に対してやや傾斜をもたせた構成にしている。ピンチローラ６は、図１のように記録シートがプラテン８に押し付けられるような位置に配置している。
【００１４】
なお、以下の説明では、各部位からみて、給送側を上流側、排出側を下流側、記録シートを給送から排出方向へ移動させる方向を正転、その逆を逆転方向とよぶ。
【００１５】
図２において、インクジェット記録装置は、ＣＰＵ１０１、記録シート端部検出手段１０２、記録シート識別手段１０３、温度検出手段１０４、湿度検出手段１０５、記録密度演算手段１０６、後端搬送判断手段１０７、シート搬送制御部１０８をもつ。また、図示していないが、記録データの入力部、記録データの処理部、搬送制御部なども具備されている。
【００１６】
記録シート端部検出手段１０２は、シート端検出部４に対応したものである。記録シート識別手段１０３は、記録装置に記録情報を転送するホストから情報を受ける、または、記録装置内に記録シート判別センサが搭載されている場合は、記録シート判別センサからの情報をもとに、後端搬送処理を行うかどうかを判断する。温度検出手段１０４は、記録装置本体に設けられており、電子部品を実装している基板上や記録ヘッド内の温度センサより温度を呼び出すものである。湿度検出手段１０５は、記録装置本体に設けられており、電子部品を実装している基板上や給送部近傍などに設けられている湿度センサより湿度を呼び出すものである。記録密度演算手段１０６は、記録が終了した記録シートに対してインクジェット記録した部分の割合を演算し、記録密度を算出するものであり、特に後端部の記録密度を演算するものである。後端搬送判断手段１０６は、記録シートの後端長さ、記録シートの種類、温度、湿度、記録密度から、後端搬送方法の決めるものである。シート搬送制御部１０８は、後端搬送判断手段１０７によって得られたものに従って後端部のシート搬送を行うものである。
【００１７】
図３を用いて、記録シート後端の空白の長さについて説明する。１０は記録シート、ａはインクジェット記録ヘッド７の記録可能範囲の長さ、ｂは記録可能範囲の最下端から搬送ローラ５とピンチローラ６のニップ部までの長さ、ｃは搬送ローラ５とピンチローラ６のニップ部から記録シート後端部までの長さである。各長さは、シート搬送方向における記録シート上の長さである。
【００１８】
図４は、横軸が記録シートの搬送長さＸ、縦軸が記録シートの搬送速度Ｖで、記録シートの加速を示した図である。搬送長さＸ１以上で記録シート搬送速度Ｖが予め設定してある最高速度Ｖ１に達する。また、インクジェット記録装置は、記録シートを搬送速度Ｖ０以上で安定して排出可能なように、プラテン８は、図１、図３に示したように水平方向に対してやや傾斜をもたせた構成にしている。この記録シートが排出可能な搬送速度Ｖ０に達するまでの排出可能搬送長さはＸ０となる。
【００１９】
図５を用いて、記録シートの後端搬送について説明する。図５は、記録シートの長さを示したもので、図中左から、シート搬送方向における、記録ヘッドのノズル上端、ノズル下端、ピンチローラ位置、シート端部検出位置（シート端部検出手段）を示している。前述したように（図３参照）、ノズル上端からノズル下端までの長さをａ、ノズル下端からピンチローラ（搬送ローラとのニップ部）までの長さをｂ、使用している記録シートの最終記録が終了した時の記録シート後端からピンチローラ（搬送ローラとのニップ部）までの長さをｃとしている。この時、ノズル下端は、実際のインクジェット記録ヘッドの絶対位置でなく、実際に使用する記録シートに対して記録に使用するノズルの最下端の位置を示すものである。ここで記録シートの排出可能搬送長さＸ０は、図５に示したようになる。図中、太線は記録シート、太線上の点線は記録を行った領域、実線の矢印は記録シートの動きを示している。以下、シートの位置が図５Ａ，Ｂ，Ｃ，Ｄの場合の、記録シートの後端搬送処理について説明する。
【００２０】
シートの位置がＡの場合：記録シートの後端部の位置が、シート端部検出位置よりも上流の時は、ピンチローラからの後端長さｃは、記録シートの排出可能搬送長さＸ０より大きいため、通常の正転排出動作で記録シートの後端搬送を行う。
【００２１】
シート端部検出位置よりも、記録シートの後端部の位置が下流にある場合、インクジェット記録装置は、記録シートの後端部の位置が正確に把握することができる。
【００２２】
シートの位置がＢの場合：記録シートの後端部の位置が、シート端部検出位置よりも下流で、かつ、ピンチローラからの後端長さｃが、記録シートの排出可能搬送長さＸ０より大きい時は、通常の正転排出動作で記録シートの後端搬送を行う。
【００２３】
シートの位置がＣの場合：記録シートの後端部の位置が、シート端部検出位置よりも下流で、ピンチローラからの後端長さｃが、記録シートの排出可能搬送長さＸ０より小さく、かつ、ノズル下端からピンチローラまでの長さｂが、排出可能搬送長さＸ０と後端長さｃとの差分である逆転長さｄ＝Ｘ０−ｃより大きい場合である。この時は、逆転長さｄ＝Ｘ０−ｃ分だけ記録シートを逆転搬送する。Ｃ１は、その逆転搬送を終えた時の記録シート位置を示したものである。その後、正転方向の排出動作で記録シートの後端搬送を行う。
【００２４】
シートの位置がＤの場合：記録シートの後端部の位置が、シート端部検出位置よりも下流で、ピンチローラからの後端長さｃが、記録シートの排出可能搬送長さＸ０より小さく、かつ、ノズル下端からピンチローラまでの長さｂが、排出可能搬送長さＸ０と後端長さｃとの差分である逆転長さｄ＝Ｘ０−ｃより小さい場合である。この時は、記録シート、後端の記録密度、環境温度、湿度によって、予め設定した待ち時間を設けた後に、逆転長さｄ＝Ｘ０−ｃ分だけ記録シートを逆転搬送する。Ｄ１は、その逆転搬送を終えた時の記録シート位置を示したものである。その後、正転方向の排出動作で記録シートの後端搬送を行う。
【００２５】
上述したように、記録シートへの記録を終えた時点で、ピンチローラから記録シート後端までの長さｃが、該記録シートの排出が可能な搬送速度Ｖ０に達するまでの記録シートの排出可能搬送長さＸ０よりも小さい場合には、記録シートを排出可能搬送長さＸ０と後端長さｃとの差分である逆転長さｄ＝Ｘ０−ｃだけ逆転搬送した後に正転排出し、後端長さｃが排出可能搬送長さＸ０よりも大きい場合には、逆転搬送せずに正転排出するので、従来必要であった拍車と排出ローラ、または、プラテンと排出受けを動作させる機構を必要とせず、安価なインクジェット記録装置を提供することが可能になる。
【００２６】
更に、前記後端長さｃが前記排出可能搬送長さＸ０よりも小さい場合において、更に、前記長さｂより前記逆転長さｄ＝Ｘ０−ｃの方が大きい場合は、予め設定した待ち時間（インク乾燥又は定着時間）だけ停止した後に、前記逆転長さｄ＝Ｘ０−ｃ分だけ記録シートを逆転搬送させ、その後、正転排出するので、記録がなされた記録シート上のインクがピンチローラに付着したり、該記録シート上の画像を乱したりすることなく、上述の効果が得られる。
【００２７】
次に、図６を用いて、他の構成の記録シートの後端搬送について説明する。図５と違いは、排出可能な記録シートの搬送長さＸ０の位置が、シート端部検出位置（シート端部検出手段）よりも上流側にある場合である。この場合、記録終了時に、記録シートの後端部の位置がシート端部検出位置より上流にあるが、通常使用している記録シートの大きさは、インクジェット記録装置に記録データを送っているホスト上で設定しているため、記録終了までに記録シートの搬送長さの積算から後端位置の予測は可能である。以下、シートの位置が図６Ｅ，Ｆ，Ｆ１，Ｇ，Ｈの場合の、記録シートの後端搬送処理について説明する。
【００２８】
シートの位置がＥの場合：記録シートの後端部の位置が、記録シートの排出可能搬送長さＸ０より大きいため、通常の正転排出動作で記録シートの後端搬送を行う。
【００２９】
シートの位置がＦの場合：記録シートの後端部の位置が、シート端部検出位置よりも上流で、かつ、ピンチローラからの後端長さｃが、使用している記録シートの排出可能搬送長さＸ０より小さいと判断された場合である。この時は、記録シートの公差などを考慮して余裕量ｅ分を逆転長さｄ＝Ｘ０−ｃ分に加えて、記録シートを逆転搬送する。その後、正転方向の排出動作で記録シートの後端搬送を行う。
【００３０】
シートの位置がＦ１の場合：記録シートは、Ｆと同じ位置にある場合、正転で搬送動作を行い、記録シートの端部がシート端部検出位置を通過後に、記録シートの端部が排出可能搬送長さＸ０になるように記録シートを逆転搬送する。その後、正転方向の排出動作で記録シートの後端搬送を行う。
【００３１】
シートの位置がＧの場合：記録シートの後端部の位置が、シート端部検出位置よりも下流で、ピンチローラからの後端長さｃが、記録シートの排出可能搬送長さＸ０より小さく、かつ、ノズル下端からピンチローラまでの長さｂが逆転長さｄ＝Ｘ０−ｃより大きい場合である。この時は、逆転長さｄ＝Ｘ０−ｃ分だけ記録シートを逆転搬送する。Ｇ１は、その逆転搬送を終えた時の記録シート位置を示したものである。その後、正転方向の排出動作で記録シートの後端搬送を行う。
【００３２】
シートの位置がＨの場合：記録シートの後端部の位置が、シート端部検出位置よりも下流で、ピンチローラからの後端長さｃが、記録シートの排出可能搬送長さＸ０より小さく、かつ、ノズル下端からピンチローラまでの長さｂが逆転長さｄ＝Ｘ０−ｃより小さい場合である。この時は、記録シート、後端の記録密度、環境温度、湿度によって、予め設定した待ち時間を設けた後に、逆転長さｄ＝Ｘ０−ｃ分だけ記録シートを逆転搬送する。Ｈ１は、その逆転搬送を終えた時の記録シート位置を示したものである。その後、正転方向の排出動作で記録シートの後端搬送を行う。
【００３３】
更に他の構成として、図７を用いて説明をする。図７は、横軸が記録シートの搬送長さＸ、縦軸が記録シートの搬送速度Ｖで、記録シートの加速を示した図である。図中の実線は通常使用環境の場合、点線は使用環境が低温・低湿の場合である。通常環境の場合は、記録シートの長さがＸ１以上で記録シート搬送速度Ｖが予め設定してある最高速度Ｖ２に達する。一方、通常でない使用環境では、記録シートの剛性やインクジェット記録装置内の駆動伝達系の伝達効率が低下するため、立ち上げをゆっくりとして搬送長さをＸ１に比べて長いＸ２にし、かつ最高速度をＶ２に比べて低めのＶ１に設定してある。インクジェット記録装置は、記録シートを搬送速度Ｖ１以上で安定して排出可能なように、プラテン８は水平方向に対してやや傾斜をもたせた構成にしている。こうした構成でも、使用状態によって、図５、図６での排出可能搬送長さＸ０をＸ１にして、同様に対応することが可能である。
【００３４】
図８は、記録シートの後端搬送処理フロー図である。図５の処理の流れについて説明する。記録シートの後端位置（ピンチローラからの後端長さｃ）が、排出可能搬送長さＸ０より大きい場合（ステップＳ１１）、すなわち、記録シートの後端空白長さＬ＝ｂ＋ｃが既定値Ｌ１＝ｂ＋Ｘ０より大きい時（図５Ａ，Ｂ参照）は、正転方向の排出動作で記録シートの後端搬送を行う（ステップＳ１２）。
【００３５】
これ以外の場合であって、記録シートの後端位置（ピンチローラからの後端長さｃ）が、記録シートの排出可能搬送長さＸ０より小さく、かつ、記録ヘッドのノズル下端からピンチローラまでの長さｂが、排出可能搬送長さＸ０と後端長さｃとの差分である逆転長さｄ＝Ｘ０−ｃより大きい場合（ステップＳ１３）、すなわち、記録シートの後端空白長さＬ＝ｂ＋ｃが既定値Ｌ１＝ｂ＋Ｘ０より小さく、かつ、長さｂより逆転長さＸ０−ｃが大きい時（図５Ｃ参照）は、逆転長さｄ＝Ｘ０−ｃ分だけ記録シートを逆転搬送させた後（ステップＳ１４）、正転方向の排出動作で記録シートの後端搬送を行う（ステップＳ１２）。
【００３６】
更にこれ以外の場合であって、記録シートの後端位置（ピンチローラからの後端長さｃ）が、記録シートの排出可能搬送長さＸ０より小さく、かつ、ノズル下端からピンチローラまでの長さｂが、排出可能搬送長さＸ０と後端長さｃとの差分である逆転長さｄ＝Ｘ０−ｃより小さい場合（ステップＳ１５）、すなわち、記録シートの後端空白長さＬ＝ｂ＋ｃが既定値Ｌ１＝ｂ＋Ｘ０より小さく、かつ、長さｂより逆転長さＸ０−ｃが小さい時（図５Ｄ参照）は、記録シートの種類、後端の記録密度、環境温度、湿度によって予め設定した待ち時間（インク乾燥、定着時間）だけ停止した後（ステップＳ１６）に、逆転長さｄ＝Ｘ０−ｃ分だけ記録シートを逆転搬送させ（ステップＳ１７）、その後、正転方向の排出動作で記録シートの後端搬送を行う（ステップＳ１２）。
【００３７】
なお、上記の場合（図５Ｄ参照）であっても、使用している記録シート、温度、湿度より、速乾性を有した記録シートやすぐに定着する環境など記録後すぐにインクが定着する場合は、待ち時間を設けずに、逆転長さＸ０−ｃ分だけ記録シートを逆転させた後、正転方向の排出動作で記録シートの後端搬送を行うことも可能である。
【００３８】
また、本実施形態では、温度、湿度の結果をもとにして動作を行っているが、温度、湿度の検出手段および判断手段をもたず、同様のことを行ってもよい。
【００３９】
次に排出終了後、次の記録シートの搬送について図９を用いて説明する。図９において、１１はインクジェット記録がされて排出された記録シート、１２はこれから記録する記録シート、１３は排出下端位置、ｆは排出下端位置から給送された記録シートの先端部までの長さを示している。インクジェット記録装置の使用環境や使用シートの種類によっては、給送時に、図９に示す位置まで、排出下端位置１３より長さｆ分だけ記録シートを搬送させる。その後、記録領域に従って、そのまま記録をしたり、記録シートを逆転して所定の位置まで戻したりしてインクジェット記録を行う。この動作は、特に、記録シートの剛性が大きいものを、確実に排出する際に有効である。
【００４０】
〔他の実施形態〕
前述した実施形態では、記録ヘッドの種類や数を具体的に例示して説明しなかったが、本発明は、１個の記録ヘッドを用いるインクジェット記録装置、異なる色のインクで記録する複数個の記録ヘッドを用いるカラー記録用のインクジェット記録装置、或いは同一色彩で濃度の異なるインクで記録する複数の記録ヘッドを用いる階調記録用のインクジェット記録装置など、記録ヘッドの種類や数に関係なく適用ができ、前述した作用効果を達成し得る。
【００４１】
更に記録手段（記録ヘッド）としては、記録ヘッドとインクタンクを一体化したカートリッジタイプのもの、或いは記録ヘッドとインクタンクを別体としこれらをインク供給チューブで接続する構成のものなど、記録手段及びインクタンクの構成がどのようなものであっても、同様に適用することができ、同様の効果を達成し得る。
【００４２】
尚、本発明をインクジェット記録装置に適用する場合には、例えば、ピエゾ素子等の電気機械変換体等を用いる記録手段を使用するものに適用できるが、中でも、熱エネルギーを利用してインクを吐出する方式の記録手段を使用するインクジェット記録装置において優れた効果をもたらすものである。かかる方式によれば、記録の高密度化、高精細化が達成できるからである。
【００４３】
更に、記録装置が記録できる記録媒体の最大幅に対応した長さを有するフルラインタイプの記録ヘッドに対しても、本発明は有効に適用できる。そのような記録ヘッドとしては、複数記録ヘッドの組合せによって、その長さを満たす構成や、一体的に形成された１個の記録ヘッドとしての構成のいずれでも良い。加えて、シート搬送方向と直交する方向に走査しつつ記録を行うシリアルタイプのものでも、装置本体に固定された記録ヘッド、或いは装置本体に装着されることで装置本体との電気的な接続や装置本体からのインクの供給が可能になる交換自在のチップタイプの記録ヘッド、或いは記録ヘッド自体に一体的にインクタンクが設けられたカートリッジタイプの記録ヘッドを用いた場合にも本発明は有効である。
【００４４】
また、前述したインクジェット記録装置の形態としては、コンピュータ等の情報処理機器の画像出力端末装置として用いられるものの他、キャリッジに記録ヘッド以外のスキャナ等を装着することが可能なインクジェット入出力装置、リーダ等と組み合わせた複写装置、更には送受信機能を有するファクシミリ装置の形態をとるもの等であっても良い。
【００４５】
また前述した実施形態では、記録方式としてインクジェット記録方式を例示したが、これに限定する必要はなく、他にも熱転写記録方式や感熱記録方式、更にはワイヤードット記録方式等のインパクト記録方式、或いはそれ以外の電子写真方式等の記録方式であっても適用し得る。
【００４６】
なお、本発明の様々な実施形態を示し説明したが、本発明の趣旨と範囲は本明細書内の特定の説明と図に限定されるものではない。以下、本発明の実施態様の例を列挙する。
【００４７】
〔実施態様１〕
記録シートを搬送する搬送手段と、搬送手段によって搬送されてきた記録シートに記録を行う記録手段と、記録手段の対向位置において記録シートを支持する支持手段と、を有し、前記搬送手段が、記録がなされた記録シートを排出する機能も兼ねた記録装置であって、記録シートの搬送方向における、記録手段の記録領域下端から搬送手段までの長さをｂ、搬送手段から記録シート後端までの長さをｃ、記録シートの排出が可能な搬送速度に達するまでの記録シートの排出可能搬送長さをＸ０とした場合、記録シートへの記録を終えた時点で、前記後端長さｃが前記排出可能搬送長さＸ０よりも小さい場合には、記録シートを排出可能搬送長さＸ０と後端長さｃとの差分である逆転長さｄ＝Ｘ０−ｃだけ逆転搬送した後に正転排出し、前記後端長さｃが前記排出可能搬送長さＸ０よりも大きい場合には、逆転搬送せずに正転排出することを特徴とする記録装置。
【００４８】
〔実施態様２〕
前記後端長さｃが前記排出可能搬送長さＸ０よりも小さい場合において、更に、前記長さｂより前記逆転長さｄ＝Ｘ０−ｃの方が大きい場合は、予め設定した待ち時間だけ停止した後に、前記逆転長さｄ＝Ｘ０−ｃ分だけ記録シートを逆転搬送させ、その後、正転排出することを特徴する実施態様１に記載の記録装置。
【００４９】
〔実施態様３〕
前記待ち時間は、少なくとも、記録シートの種類、後端の記録密度、環境温度、湿度のいずれかによって予め設定した、前記記録シート上のインクが乾燥又は定着するまでの時間であることを特徴とする実施態様２に記載の記録装置。
【００５０】
〔実施態様４〕
前記記録手段及び前記支持手段は、記録シートが排出可能な搬送速度以上で安定して排出可能なように、水平方向に対して、記録シートの排出方向に傾きをもたせた構成であることを特徴とする実施態様１乃至３のいずれか１項に記載の記録装置。
【００５１】
〔実施態様５〕
前記記録装置は、記録手段が信号に応じてインクを吐出して記録することを特徴とする実施態様１乃至４のいずれか１項に記載の記録装置。
【００５２】
〔実施態様６〕
前記記録装置は、記録手段が信号に応じて電気熱変換体に通電し、該電気熱変換体の発する熱エネルギーによってインクを吐出することを特徴とする実施態様５に記載の記録装置。
【００５３】
【発明の効果】
以上説明したように、本発明よれば、従来必要であった、拍車と排出ローラ、または、プラテンと排出受けを動作させる機構を必要とせず、安価な記録装置を提供することが可能になる。
【図面の簡単な説明】
【図１】本発明の実施形態に係る記録装置の断面図
【図２】本発明の実施形態に係る記録装置のブロック図
【図３】本発明の実施形態に係る記録装置の断面図
【図４】記録シートの長さと搬送速度の関係図
【図５】記録シートの位置に応じた後端搬送処理を示す図
【図６】記録シートの位置に応じた後端搬送処理を示す図
【図７】記録シートの長さと搬送速度の関係図
【図８】本発明の実施形態に係る記録装置の後端搬送処理の流れを示すフロー図
【図９】本発明の実施形態に係る記録装置の断面図
【符号の説明】
ａ        …記録ヘッドの記録可能範囲の長さ
ｂ        …記録可能範囲の最下端からローラニップ部までの長さ
ｃ        …ローラニップ部からシート後端部までの長さ
ｄ        …逆転長さ
Ｘ０    …排出可能搬送長さ
１        …給送部
２        …給送ローラ
３        …シートガイド
４        …シート端検出部
５        …搬送ローラ
６        …ピンチローラ
７        …インクジェット記録ヘッド
８        …プラテン
１０，１１，１２  …記録シート
１０１  …ＣＰＵ
１０２  …記録シート端部検出手段
１０３  …記録シート識別手段
１０４  …温度検出手段
１０５  …湿度検出手段
１０６  …記録密度演算手段
１０７  …後端搬送判断手段
１０８  …シート搬送制御部
【図１】
2004174783.tif 000003
【図２】
2004174783.tif 000004
【図３】
2004174783.tif 000005
【図４】
2004174783.tif 000006
【図５】
2004174783.tif 000007
【図６】
2004174783.tif 000008
【図７】
2004174783.tif 000009
【図８】
2004174783.tif 000010
【図９】
2004174783.tif 000011